(57)【要約】      （修正有）【課題】炉体櫓の主構成梁の改造なくして、狭隘な空間でも容易に高炉ベルレスシュート交換用マンホール蓋の取り外しを可能な着脱装置を提供する。【解決手段】高炉炉頂に配設された高炉ベルレスシュート交換用マンホール蓋の着脱装置であって、マンホール蓋２をチャッキングしスライドさせるスライドユニット１４と、このスライドユニット１４を傾動させる傾動装置１５を、高炉炉頂に配設したベルレスシュート着脱装置１６に配設してなる高炉ベルレスシュート交換用マンホール蓋の着脱装置。【選択図】図２
2007197769.tif 000002
【特許請求の範囲】
【請求項１】
高炉炉頂に配設された高炉ベルレスシュート交換用マンホール蓋の着脱装置であって、前記マンホール蓋をチャッキングしスライドさせるスライドユニットと、このスライドユニットを傾動させる傾動装置と備えたマンホール蓋着脱装置を、高炉炉頂に配設したベルレスシュート着脱装置に配設してなる高炉ベルレスシュート交換用マンホール蓋の着脱装置。
【請求項２】
高炉炉頂に配設された高炉ベルレスシュート交換用マンホール蓋の着脱方法において、前記マンホール蓋をチャッキングし、チャッキング後スライドさせ、スライドさせたマンホール蓋を傾動させてマンホール蓋を取り外すことを特徴とする高炉ベルレスシュート交換用マンホール蓋の着脱方法。
【発明の詳細な説明】
【技術分野】
【０００１】
本発明は、高炉ベルレスシュート交換用マンホール蓋を着脱する着脱装置及び着脱方法に関する。
【背景技術】
【０００２】
高炉の炉内へ原料を投入するベルレス式炉頂装入装置では、図３に示すように炉体鉄皮３の上部に設置されたシュート駆動装置７に、支持軸８を介してベルレスシュート５が支持されており、シュート駆動装置７によりベルレスシュート５の旋回と傾動角度の調節を行い炉内へ原料を投入している。ベルレスシュート５には、投入原料による摩耗を防止するため、内面ライナー６が取り付けてある。ベルレスシュート５による原料投入を長期間繰り返すと内面ライナー６の摩耗が進行するため、摩耗が限界に達したら内面ライナー６の交換のために、高炉定修時に定期的なベルレスシュート５の交換が必要になる。
【０００３】
このため高炉の炉体鉄皮３には、炉内のベルレスシュート５を取り出すことが可能な開口を有したベルレスシュート交換用マンホール１が設けてあり、ベルレスシュート着脱装置１６にてベルレスシュート５の交換を行うことができるようになっている（例えば特許文献１参照）。この際、ベルレスシュート交換用マンホール１を覆うマンホール蓋２の取り外しは、ベルレスシュート交換用マンホール１の上方に設置されたマンホール蓋着脱用揚重機１７により、ベルレスシュート交換用マンホール１からマンホール蓋２を上方に吊り上げることによって行う。
【０００４】
ところが、近年の高炉改修においては、設備費低減のために、メンテナンスデッキや付帯機器を支持する炉体櫓を流用して高炉本体の拡張を行うため、炉体鉄皮３に設置されるベルレスシュート交換用マンホール１が炉体櫓の主構成梁９に近接して設置されるケースがある。
【０００５】
これに対して、従来のマンホール蓋の着脱方法では、上述のとおり、ベルレスシュート交換用マンホール１の上方に設置されたマンホール蓋着脱用揚重機１６により、マンホール蓋２を吊り上げることによりマンホール蓋２を取り外すようにしているため、マンホール蓋２の取り外しにはマンホール蓋２の前方及び上方に障害物の無い空間が必要となり、ベルレスシュート交換用マンホール１と炉体櫓の主構成梁９が近接して設置された場合には、炉体櫓の主構成梁９が障害となりマンホール蓋２の着脱が困難となる。
【０００６】
また、マンホール蓋２の着脱を可能とするために、障害となる炉体櫓の主構成梁９の改造を実施することは、炉体櫓の大幅な改造となり、設備費の大幅なアップとなる。
【０００７】
なお、従来、高炉炉頂のマンホール蓋の着脱機構としては例えば特許文献２〜４に記載されたものが知られているが、いずれも障害物を回避してマンホール蓋を着脱できるようにはなっておらず、上記従来技術の問題点を解消することはできない。
【特許文献１】特開２００１−２８８５０３号公報
【特許文献２】特開平９−１３１１１号公報
【特許文献３】特開平４−３１６７６４号公報
【特許文献４】実開昭５６−９８８４４号公報
【発明の開示】
【発明が解決しようとする課題】
【０００８】
本発明は、炉体櫓の主構成梁の改造なくして、狭隘な空間でも容易に高炉ベルレスシュート交換用マンホール蓋の取り外しが可能な装置及び方法を提供することを目的とするものである。
【課題を解決するための手段】
【０００９】
上記目的を達成するため、本発明はマンホール蓋の着脱時にマンホール蓋をスライド及び傾動させる機能を備えたものである。
【００１０】
すなわち、本発明に係る高炉ベルレスシュート交換用マンホール蓋の着脱装置は、高炉炉頂に配設された高炉ベルレスシュート交換用マンホール蓋の着脱装置であって、前記マンホール蓋をチャッキングしスライドさせるスライドユニットと、このスライドユニットを傾動させる傾動装置と備えたマンホール蓋着脱装置を、高炉炉頂に配設したベルレスシュート着脱装置に配設してなるものである。
【００１１】
また、高炉ベルレスシュート交換用マンホール蓋の着脱方法は、高炉炉頂に配設された高炉ベルレスシュート交換用マンホール蓋の着脱方法において、前記マンホール蓋をチャッキングし、チャッキング後スライドさせ、スライドさせたマンホール蓋を傾動させてマンホール蓋を取り外すことを特徴とするものである。
【発明の効果】
【００１２】
本発明によれば、炉体櫓の主構成梁にベルレスシュート交換用マンホールが近接して設置され、障害物の無い周辺空間が確保できない狭隘な状態でも、短時間で能率よく且つ安全にマンホール蓋の着脱作業を行うことができるばかりでなく、障害物の無い周辺空間の確保のための大幅な炉体櫓の改造を不要とし、設備コストの低減を可能とできる。
【発明を実施するための最良の形態】
【００１３】
以下、本発明の実施の形態を図面に基づいて詳細に説明する。
【００１４】
図１は本発明に係る高炉ベルレスシュート交換用マンホール蓋の着脱装置を用いた着脱方法を示す側面図、図２は図１に示す着脱装置の構造を示す側面図である。
【００１５】
図１に示すように、高炉炉頂部分には、シュート駆動装置７に支持軸８を介してベルレスシュート５が支持されている。炉体鉄皮３には、ベルレスシュート５を取り出すことが可能な開口を有したベルレスシュート交換用マンホール１が設けてあり、その開口には操業時のガス遮断用として、マンホール蓋２が締結ボルト４を用いて締結されている。
【００１６】
高炉の休風時にベルレスシュート５交換のためにマンホール蓋２の取り外しを行うマンホール着脱装置１０は、ベルレスシュート５の着脱作業を行うために高炉炉頂に別途設置されているベルレスシュート着脱装置１６上に搭載してある。このマンホール着脱装置１０は、図２に示すように、ベルレスシュート着脱装置１６上に載置される架台１１と、この架台１１から伸びたアーム１２に支持軸１３を介して傾動可能に支持されたスライドユニット１４を備えている。スライドユニット１４は、基板１４ａと基板１４ａに対してスライド可能に取り付けたスライド板１４ｂとを備え、スライド用アクチュエーター１４ｃによってスライド板１４ｂを基板１４ａに対してスライドさせる。スライド板１４ｂを基板１４ａに対してスライドさせる機構としては、例えばラックピニオン機構を利用する。また、スライド板１４ｂにはボルト等によりマンホール蓋をチャッキングできるようになっている。
【００１７】
スライドユニット１４の基板１４ａとアーム１２との間には、傾動装置として傾動用アクチュエーター１５が設けてあり、この傾動用アクチュエーター１５を伸縮させることにより、スライドユニット１４が支持軸１３を中心として傾動し、スライドユニット１４にチャッキングされたマンホール蓋２も傾動する。
【００１８】
以上の構成においてマンホール蓋２を取り外すには、スライドユニット１４のスライド板１４ｂにマンホール蓋２をチャッキングしてベルレスシュート交換用マンホール１との締結ボルト４を取り外し、ベルレスシュート着脱装置１６を後退させ、ベルレスシュート交換用マンホール１とマンホール蓋２の間に隙間を生じさせる。その後、スライド用アクチュエーター１４ｃを作動させてスライドユニット１４のスライド板１４ｂをベルレスシュート交換用マンホール１の開口縁に沿って斜め下方にスライドさせ、さらに傾動用アクチュエーター１５を作動させてスライドユニット１４（マンホール蓋）を傾動させる。
【００１９】
上記の動作を必要に応じて繰り返し、マンホール蓋２が炉体櫓の主構成梁９との障害が無い位置まで移動した後は、マンホール蓋２をチャッキングした状態でマンホール蓋着脱装置１０をベルレスシュート着脱装置１６から取り外し、ベルレスシュート５の交換作業に支障の無い場所に仮置きする。
【００２０】
ベルレスシュート５の交換作業が完了した後は、ベルレスシュート着脱装置１６にマンホール蓋着脱装置１０を再度搭載し、上記取り外し作業の逆手順にてマンホール蓋２をベルレスシュート交換用マンホール１に装着し締結ボルト４により締結を行う。これによりベルレスシュート５の交換作業が完了する。
【図面の簡単な説明】
【００２１】
【図１】本発明に係る高炉ベルレスシュート交換用マンホール蓋の着脱装置を用いた交換方法を示す側面図である。
【図２】図１に示す着脱装置の構造を示す側面図である。
【図３】従来のベルレスシュート交換方法を示す側面図である。
【符号の説明】
【００２２】
１  ベルレスシュート交換用マンホール
２  マンホール蓋
３  炉体鉄皮
４  締結ボルト
５  ベルレスシュート
６  内面ライナー
７  シュート駆動装置
８  支持軸
９  炉体櫓の主構成梁
１０  マンホール蓋着脱装置
１１  架台
１２  アーム
１３  支持軸
１４  スライドユニット
１４ａ  基板
１４ｂ  スライド板
１４ｃ  スライド用アクチュエーター
１５  傾動用アクチュエーター（傾動装置）
１６  ベルレスシュート着脱装置
１７  マンホール蓋着脱用揚重機
【図１】
2007197769.tif 000003
【図２】
2007197769.tif 000004
【図３】
2007197769.tif 000005